(57)【特許請求の範囲】
【請求項１】
マンホール蓋３に垂直状態に固定される外筒１１と、この外筒に嵌挿された垂直回転軸２１と、この垂直回転軸に外嵌合すると共に前記外筒に内装された固定筒３５と、この固定筒のバネ収納部に収納されたタンブラー用の付勢バネと、前記固定筒の上端面と前記垂直回転軸に設けられた鍔状タンブラー案内部分２１ｂの下端面のシアーラインを跨ぐにように前記鍔状タンブラー案内部分２１ｂに形成された垂直方向の第１吸水口２５に組み込まれた下タンブラーと、この下タンブラーを介してかつ前記タンブラー用の付勢バネのバネ力により前記垂直回転軸の主軸部分２１ａの上端部と前記外筒の環状上面１３との隙間に相当する鍵穴開口１５側へ付勢された上タンブラーを備えた施・解錠手段３１と、前記垂直回転軸の下端部に固定された錠止用カム２２とから成り、前記鍵穴開口には前記第１吸水口２５が連通しており、さらに、前記第１吸水口２５には、前記固定筒３５の下端部に前記バネ収納部に連通するように形成した第１排水口３６が連通していると共に、前記鍵穴開口１５から前記第１吸水口に流れ込んだ塵埃や塵土は前記第１排水口３６から流れ出るマンホール蓋用錠前。
【請求項２】
請求項１に於いて、鍔状タンブラー案内部分２１ｂには、第１吸水口２５とは別個の吸水口２７を形成し、一方、外筒の周壁に前記別個の吸水口２７に連通する排水口１６を第１排水口３６とは別個に形成し、該別個の排水口１６からも塵埃や塵土が流れ出ることを特徴とするマンホール蓋用錠前。
【発明の詳細な説明】
【技術分野】
【０００１】
本発明は、マンホール蓋用錠前に関する。
【背景技術】
【０００２】
まず、特許文献１は、出願人が提案したものであるが、該特許文献１には、「マンホール蓋２の凹所内にシリンダ錠１を固定し、また、該シリンダ錠１の前面（上面）にマンホール蓋の上面の水平ラインを基準にして上下に位置変位可能なカバー体７を所定長さの垂直螺杆１５を介して設け、前記カバー体がシリンダ錠１の係合部（例えば係合ピン）５に係合している係合状態では、該カバー体はシリンダ錠１の前面（鉤穴を有する上面）を覆うマンホール蓋用錠前の構造」が記載されている（符号は特許文献１のもの）。
【０００３】
したがって、特許文献１に記載のマンホール蓋用錠前は、カバー体７がシリンダ錠１の鉤穴を有する上面を覆っている限り、鍵孔への塵埃や雨水の侵入を完全に防止することができるという利点がある。
【０００４】
特許文献１のように、施錠時、カバー体にシリンダ錠の前面を覆わせ、一方、解錠時、シリンダ錠の前面を露呈させるという着想（構成）は、確かに上記利点を得ることができる。
【０００５】
しかしながら、合鍵をシリンダ錠１の鉤穴に差し込んで、マンホール蓋のカムの錠止状態を解く場合には、必ず、カバー体７を何度も所定方向に回してシリンダ錠１の前面を露呈させる作業が必要であるといった面倒くささが存在する。
【０００６】
ところで、マンホール蓋２を開けて地下共同作業溝に入る場合には、カバー体７の前記係合状態を解く必要があるが、（ａ）作業員がマンホール蓋の上面を綺麗に清掃し、かつカバー体７の上面に残っている塵埃や塵土をきちんと洗い流してから、（ｂ）かつカバー体７をマンホール蓋の上面の水平ラインの下部からその上部位置まで浮き上がるように位置変位するまでゆっくりと回しても、不注意により、カバー体７の上面やマンホール蓋２に付着している塵埃や塵土がシリンダ錠１の上向き鉤穴に入り込んでしまう場合もある。
次に、特許文献２も出願人が提案したものであるが、これは本発明を適用する場合に相応しい。また、特許文献３は他社の出願であるが、これも本発明を適用する場合に相応しい。なお、特許文献４は、本願発明の錠前と同様な構成のシリンダ錠が記載されているが、水抜きする事項は記載されていない。
【特許文献１】特開２００５−３４４３６４号公報
【特許文献２】特開２００４−６８５９４号公報（特許第３５８５９１８号）
【特許文献３】特開２０００−１８６８号公報
【特許文献４】実開平６−６７７４７号公報
【発明の開示】
【発明が解決しようとする課題】
【０００７】
本発明の所期の目的は、特許文献１の問題点に鑑み、作業員が不注意により塵埃や塵土が錠前の上向き鉤穴（錠前の上面開口部）に入り込んだ場合（いわゆる目詰まりした場合）であっても、錠前の上方から洗浄水をかけることにより、錠前の鉤穴開口を介して錠前の内部に入り込んだ塵埃や塵土を錠前の下端部から外へと完璧に洗い流すことである。第２の目的は、施・解錠手段３１を構成するダンブラー及び付勢バネを塵埃や塵土から守ることである。第３の目的は、特許文献１のようなカバー体をシリンダ錠の前面（鉤穴を有する上面）に付加する必要がないことである。
【課題を解決するための手段】
【０００８】
本発明のマンホール蓋用錠前は、マンホール蓋３に垂直状態に固定される外筒１１と、この外筒に嵌挿された垂直回転軸２１と、この垂直回転軸に外嵌合すると共に前記外筒に内装された固定筒３５と、この固定筒のバネ収納部に収納されたタンブラー用の付勢バネと、前記固定筒の上端面と前記垂直回転軸に設けられた鍔状タンブラー案内部分２１ｂの下端面のシアーラインを跨ぐにように前記鍔状タンブラー案内部分２１ｂに形成された垂直方向の第１吸水口２５に組み込まれた下タンブラーと、この下タンブラーを介してかつ前記タンブラー用の付勢バネのバネ力により前記垂直回転軸の主軸部分２１ａの上端部と前記外筒の環状上面１３との隙間に相当する鍵穴開口１５側へ付勢された上タンブラーを備えた施・解錠手段３１と、前記垂直回転軸の下端部に固定された錠止用カム２２とから成り、前記鍵穴開口には前記第１吸水口２５が連通しており、さらに、前記第１吸水口２５には、前記固定筒３５の下端部に前記バネ収納部に連通するように形成した第１排水口３６が連通していると共に、前記鍵穴開口１５から前記第１吸水口に流れ込んだ塵埃や塵土は前記第１排水口３６から流れ出ることを特徴とする。
【０００９】
上記構成に於いて、鍔状タンブラー案内部分２１ｂには、第１吸水口２５とは別個の吸水口２７を形成し、一方、外筒の周壁に前記別個の吸水口２７に連通する排水口１６を第１排水口３６とは別個に形成し、該別個の排水口１６からも塵埃や塵土が流れ出ることを特徴とする。
【発明の効果】
【００１０】
（ａ）作業員が不注意により塵埃や塵土が錠前の上向き鉤穴１５に入り込んだ場合（いわゆる目詰まりした場合）であっても、錠前の上方から洗浄水をかけることにより、錠前内の塵埃や塵土を錠前の下端部から完璧に外へと洗い流すことができる。
（ｂ）また、施・解錠手段３１を構成する付勢バネ３４のバネ圧が作用しない、或いは付勢バネ３４が錆びるというような不具合を極力解消することができる。また、「ブラマーの錠」或いは「八万ロック」と称されている錠前を、その用途において有効的に活用できる。
（ｃ）請求項２に記載の発明は、外筒の周壁に形成した排水口からも塵埃や塵土を流し出すことができるので、錠前の上面に付着した塵埃や塵土を固定筒３５の垂直収納部３５ａ以外からも流すことができ、洗浄効果を高めることができる。特に、錠前の上面に複数の種類の吸水口を形成している実施例の場合には、洗浄効果が大である。
【発明を実施するための最良の形態】
【００１１】
以下、図１乃至図１０に示す本発明を実施するための最良の形態により説明する。
【００１２】
（１）発明の実施の環境
図１は正面図、図２は底面図、図３は平面視からの説明図、図４は図３の４−４線概略断面説明図である。図４は発明の実施の環境を示す概略説明図でもある。
【００１３】
まず、図４を参照にして、実施の環境を簡単に説明する。１はマンホールの胴体枠で、この胴体枠１の内周壁には横向き凹所状、突起腕状等の被錠止部２が形成されている。一方、３は円盤状のマンホール蓋で、周知のように、マンホール蓋３は、その一端部（基端部）側が枢着され、他端部側３ａから開くことができる開閉体である。４は前記他端部側３ａに形成され、かつ、内壁底面に嵌合孔５を有する取付け凹所で、この取付け凹所４には、本発明のマンホール蓋用錠前Ｘが垂直状態に嵌着されている。
【００１４】
次に、図５は垂直回転軸２１の概略説明図である。また、図６は、外筒又は垂直回転軸の上面を一部断面で示した説明図である。また、図７は図６のＡ−Ａ線概略断面説明図である。さらに、図８は棒状操作キーＹの下端部の適宜箇所を縦断面で示したものである。
【００１５】
棒状操作キーＹは、図９の底面図で示すように、下端面の中心部に下向き嵌合凹所６を有し、この嵌合凹所６には、後述の錠前Ｘの垂直回転軸２１の主軸部分２１ａの上端部が嵌合する。また、棒状操作キーＹは、嵌合凹所６を形成する環状部分７に下向きに延在する複数個の挿入突起或いは切欠状の凹所（実施例では凹所）８を有し、これらの切欠状の凹所８は、周方向に所定間隔を有して設けられている。さらに、前記環状部分７には、半径内方向と半径外方向にそれぞれ突出する合鍵の位置決め係合ピン９が設けられ、この係合ピン９は、図５で示す主軸部分２１ａの上端部に縦方向に形成した係合切欠２６に係合する。以下、本発明の特定要件について順次説明するが、細部的な事項の符号は割愛する。
【００１６】
（２）錠前Ｘの外筒１１
１１はマンホール蓋３の取付け凹所４に垂直状態に固定される外筒で、この外筒１１のフランジ状上端部１１ａには、キャップ状の上蓋１２が嵌着或いは螺着により取り外し可能に設けられる。フランジ状上端部１１ａは、嵌合孔５の周縁部に支持されることから、外筒１１を取付け凹所４にぶら下げる係止部の機能を有している。
【００１７】
また、フランジ状上端部１１ａの上面１３は、図３で示すように円形の環状部分となっており、この環状上面１３の内周縁の一部には、合鍵位置決め用の切欠１４が半径外方向に所定量形成されている。そして、垂直回転軸の主軸部分２１ａの上端部と外筒の環状上面１３との隙間に相当する鍵穴開口１５が形成されている。この鍵穴開口１５からは、後述する垂直回転軸２１の主軸部分２１ａの上面及び第１吸水口２５、別個の給水口２７、２９が見える。
【００１８】
また、外筒１１のフランジ状上端部１１ａには、長筒状の胴体部分１１ｂが下方へと連設しており、該胴体部分１１ｂの適宜箇所には、複数種類の排水口１６、１６Ａが横方向に形成されている（図１０、図７参照）。
【００１９】
さらに、前記胴体部分１１ｂの下部側の適宜箇所には、固着具１７用の貫通孔１８が形成されており、該貫通孔１８は、後述の施・解錠手段を構成する固定筒の螺合穴と符合する。なお、外筒１１の環状上面１３の鍵穴開口１５の半径は、外筒１１の上端部の内部空間のそれよりも小さい。
【００２０】
（３）錠前Ｘの垂直回転軸２１
２１は外筒１１に嵌挿された垂直回転軸で、この垂直回転軸２１の軸線ａに位置する柱状の主軸部分２１ａの上端面は、外筒１１の環状上面１３と略面一である。一方、主軸部分２１ａの下端面は外筒１１の環状下端面１９から段差状に突出し、該突出下端部には、長板状の錠止用カム（シリンダカム）２２が固定手段２３を介して一体的に取付けられている。したがって、垂直回転軸２１が合鍵としての棒状操作キーＹの操作力により軸線ａ廻りに所定量回転すると、錠止用カム２２の端部が前述した胴体枠１の被錠止部２に対して係合（ロック）又は係合解除の状態となる。
【００２１】
ところ、垂直回転軸２１の主軸部分２１ａの上端部に半径方向に連設する鍔状タンブラー案内部分２１ｂには、周方向に所定間隔を有して第１吸水口２５が形成されている（図５参照）。これらの第１吸水口２５には、図７及び図１０で示すように、可動障害子としての上タンブラー３２が垂直状態に係合している。
【００２２】
また、垂直回転軸２１の主軸部分２１ａを含む上端部側には、合鍵用位置決め機能を有する係合切欠２６が形成され、該係合切欠２６は鍔状タンブラー案内部分２１ｂに滑り台のように形成された別個の吸水口２７に連続している。
【００２３】
付言すると、別個の吸水口２７は、図４で示すように、垂直回転軸２１の上部側の係合切欠２６に続いて弧状に形成され、かつ外筒１１の胴体部分１１ｂの別個の排水口１６に連通していることから、係合切欠（ここでは、便宜上「第２吸水口」ともいう。）２６から入り込んだ塵埃や塵土を前記別個の排水口（ここでは、便宜上「第２排水口」ともいう。）１６から錠前Ｘの外へと流し出すことができる。
【００２４】
なお、合鍵用位置決め機能を有する係合切欠２６は、図３で示すように外筒側の合鍵位置決め用の切欠１４と符合したときは、係合ピン９が係入することから、図１０で示すように棒状操作キーＹが挿入可能と成る。
【００２５】
（４）施・解錠手段３１
３１は施・解錠手段で、この施・解錠手段３１は、垂直回転軸２１の軸方向に移動する上・下のタンブラー３２、３３と、下タンブラー３３を介して上タンブラー３２を外筒の上端部（フランジ状上端部１１ａ）の内面（上タンブラー用溝の受面）に押し付ける付勢バネ３４と、外筒１１に嵌挿した状態で前記付勢バネ３４を垂直収納部３５ａに収納すると共に、垂直回転軸２１の主軸部分２１ａの下端部側に外嵌合する固定筒３５とを備えている。
【００２６】
しかして、前記固定筒３５の上端面が、いわゆるシアーラインＬであり、前述した第２排水口１６及び後述する第３排水口１６Ａは、このシアーラインＬよりも上位の部位か又は上位の部位を含んでシアーラインＬに跨っている（本実施例）。
【００２７】
ここで、可動障害子としての上・下のタンブラー３２、３３が軸線ａ方向に揃って配列されているので、錠前Ｘの構成と作用について簡単に説明する。
【００２８】
この種の錠前Ｘは、「ブラマーの錠」或いは「八万ロック」と称されている。このブラマーの錠は、複雑な構造をもっており、特別なシリンダ錠とも称されている。シリンダの構成は、錠本体（例えば本実施例ではマンホール錠のマンホール蓋）３に固定される外筒１１と、その中で回転する内筒（本実施例では垂直回転軸）２１と、そして、施・解錠手段３１を構成する上・下のタンブラー３２、３３と、これらのタンブラー３２、３３を前記内筒２１の回転阻止の状態に押し付けるスプリング３４で構成されている。
本実施例では、固定筒３５が固着具１７を介して外筒１１の下端部側に固定されているので、内筒２１と共に施・解錠手段３１の上タンブラー３２が軸線ａ廻りに回転可能である。
【００２９】
すなわち、シリンダの作用は、図１０で示すように、合鍵Ｙの挿入部８を鉤穴開口１５に挿入すると、上・下のタンブラー３２、３３はある位置（シアーライン）Ｌに整列して内筒２１阻止の状態を解く。この点、半径方向にタンブラーが移動してある位置に整列する普通一般のピンシリンダ錠と同様である。図１０では、合鍵Ｙの挿入により、上・下のタンブラー３２、３３が固定筒３５の上端面のある位置（シアーライン）Ｌに整列した旨を示している。
【００３０】
（５）吸水口２５、２６、２９
本実施例の吸水口は錠前Ｘの上部側に複数種類形成されているので、ここで特別に説明する。
【００３１】
まず、第１吸水口２５に相当するものは、垂直回転軸２１の主軸部分２１ａの鍔状タンブラー案内部分２１ｂに周方向に所定間隔を有して形成された（タンブラー用貫通孔）である。これらの第１吸水口２５には、前述したように、上タンブラー３２が係合している。
【００３２】
したがって、第１吸水口２５は上タンブラー３２の収納孔或いは貫通孔でもある。このように、本実施例では、垂直回転軸２１の主軸部分２１ａの上端部側に鍔状に周設されたタンブラー案内部分２１ｂに少なくとも一つの第１吸水口２５を形成し、一方、施・解錠手段３１を構成する固定筒３５に上・下のタンブラー用の付勢バネを収納すると共に、前記第１吸水口２５に連通する垂直収納部３５ａの下端部に少なくとも一つの第１排水口３６を形成し、この第１排水口３６から塵埃や塵土を流し出す。
【００３３】
次に、第２吸水口に相当するものは、垂直回転軸２１の主軸部分２１ａから続いて鍔状タンブラー案内部分２１ｂに流路状に形成された第１吸水口２５とは別個の吸水口２７である。この別個の吸水口２７は、外筒１１の第２排出口１６に連通している。
【００３４】
そして、第３吸水口に相当するものは、図６に示すように、鍔状タンブラー案内部分２１ｂに案内される上タンブラー近傍或いは周方向の上タンブラー間に形成された第１吸水口２５とは別個の吸水口２９である。別個の吸水口２９は、本実施例では周方向に位置する複数個の上のタンブラー３２間にそれぞれ形成され、かつ外筒１１の胴体部分１１ｂの上部に形成した第２排出口１６とは別個の排水口１６Ａにそれぞれ連通している。なお、前記別個の吸水口２９は、例えば合計４個形成されているが、これらの数は限定するのではない。
【００３５】
したがって、本実施例では、別個の吸水口は、主軸部分２１ａに形成された係合切欠２６に連続する吸水口２７か、又は、鍔状タンブラー案内部分２１ｂに案内される上タンブラー間に形成された吸水口２９かのいずれか一方である（一つの実施例）。
【００３６】
或いは、別個の吸水口は、主軸部分２１ａに形成された係合切欠２６に連続する吸水口２７及び鍔状タンブラー案内部分２１ｂに案内される上タンブラー間に形成された吸水口２９の両方である（他の実施例）。
【実施例】
【００３７】
発明の実施の形態で示した実施例に於いて、吸水口は、垂直方向に移動するタンブラー３２，３３を案内している第１吸水口（タンブラー用貫通孔）２５であり、一方、垂直方向の第１排水口３６は付勢バネ３４を収納している固定筒３５の垂直収納部３５ａであが、もちろん、この実施例に限るものではない。
【００３８】
すなわち、垂直回転軸２１の主軸部分２１ａに設けられた鍔状タンブラー案内部分２１ｂに単数又は複数個の吸水口を形成し、一方、施・解錠手段３１を構成する固定筒３５の上端部から下端部に至るまで垂直方向の単数又は複数個の排水口３６を形成し、外筒の鍵穴開口１５から前記吸水口（第１吸水口に相当）に流れ込んだ塵埃や塵土を、固体筒３５の下端部（下端面も含む）に形成された排水口（第１排水口３６に相当）から流し出す実施例であれば、タンブラー３２，３３を案内するタンブラー用貫通孔以外の鍔状タンブラー案内部分２１ｂの適宜部位に第１吸水口２５を形成し、該第１吸水口２５に入り込んだ塵埃や塵土を、付勢バネ３４を収納している付勢バネ３４用の垂直収納部３５ａ以外の固定筒３５の下端部の排水口から排出しても良い。
【００３９】
また、図４では、説明の便宜上、錠前Ｘを取付け凹所４の嵌合孔５に直接取付けたものであるが、もちろん、特許文献２の実施例のように、垂直固定筒を介して間接的に取付けても良い。後者の場合、後述する垂直回転軸の下端部に固定された錠止用カムは、他の部材を介して間接的に前記被錠止部２に係脱する。
【産業上の利用可能性】
【００４０】
本発明は、主に土木業界で利用される。
【図面の簡単な説明】
【００４１】
図１乃至図１０は本発明の最良の実施例を示す各説明図。
【図１】正面図。
【図２】底面図
【図３】平面視からの説明図
【図４】図３の４−４線概略断面説明図（発明の実施の環境を示す概略説明図）
【図５】垂直回転軸の概略説明図。
【図６】外筒又は垂直回転軸の上面を一部断面で示した説明図。
【図７】図６のＡ−Ａ線概略断面説明図。
【図８】操作キーＹの下端部の適宜箇所の縦断面説明図。
【図９】操作キーＹの底面図。
【図１０】操作キーＹを挿入した状態の説明図。
【符号の説明】
【００４２】
Ｘ…マンホール蓋用錠前、Ｙ…操作キー（合鍵）、１…胴体枠、２…被錠止部、３…マンホール蓋、４…取付け凹所、５…嵌合孔、６…下向き嵌合凹所、７…環状部分、８…合鍵の挿入部（突起、凹所、溝等）、９…係合ピン、１１…外筒、１１ａ…上端部、１１ｂ…胴体部分、１２…上蓋、１３…環状上面、１４…合鍵位置決め用の切欠、１５…鍵穴開口、１６…第２排水口、１６Ａ…第３排水口、１７…固着具、１８…貫通孔、１９…環状下端面、２１…垂直回転軸、２１ａ…主軸部分、２１ｂ…タンブラー案内部分、ａ…軸線、２２…錠止用カム（シリンダカム）、２３…固定手段、２５…第１吸水口、２６…係合切欠（第２吸水口の一部）、２７、２９…別個の吸水口、３１…施・解錠手段、３２…上タンブラー、３３…下タンブラー、３４…付勢バネ、３５…固定筒、３５ａ…垂直収納部（その下端部が排水口）、Ｌ…シアーライン、３６…第１排水口（水抜き孔）。
【図１】
0005336062.tif 000002
【図２】
0005336062.tif 000003
【図３】
0005336062.tif 000004
【図４】
0005336062.tif 000005
【図５】
0005336062.tif 000006
【図６】
0005336062.tif 000007
【図７】
0005336062.tif 000008
【図８】
0005336062.tif 000009
【図９】
0005336062.tif 000010
【図１０】
0005336062.tif 000011